(57)【要約】【課題】消費電力を大幅に抑制する。【解決手段】ＩＣカード４００との間での非接触通信が終了してからの時間をカード操作無し時間として計測し、このカード操作無し時間が所定時間を超えた場合、電源供給部６からのリーダ／ライタアンテナ５への給電を停止する。その後、ユーザが操作するスイッチ類の操作を感知して、停止されているリーダ／ライタアンテナ５への給電を再開する。なお、警戒モードに切り替えられた場合に、リーダ／ライタアンテナ５への給電を停止し、警戒モードが解除された場合に、リーダ／ライタアンテナ５への給電を再開するようにしてもよい。【選択図】  図２
2015022392.tif 000002
【特許請求の範囲】
【請求項１】
アンテナと、このアンテナへの給電を行う電源供給部とを備え、前記アンテナを介してＩＣカードとの間で非接触通信を行うカードリーダにおいて、
前記ＩＣカードとの間での非接触通信が終了してからの時間をカード操作無し時間として計測し、このカード操作無し時間が所定時間を超えた場合、前記アンテナへの給電を停止する給電停止手段
を備えることを特徴とするカードリーダ。
【請求項２】
請求項１に記載されたカードリーダにおいて、
ユーザが操作するスイッチ類の操作を感知して、前記給電停止手段によって停止されている前記アンテナへの給電を再開する給電再開手段
を備えることを特徴とするカードリーダ。
【請求項３】
アンテナと、このアンテナへの給電を行う電源供給部とを備え、前記アンテナを介してＩＣカードとの間で非接触通信を行うカードリーダにおいて、
警備切替により、警戒モードに切り替えられた場合、前記アンテナへの給電を停止する給電停止手段
を備えることを特徴とするカードリーダ。
【請求項４】
請求項３に記載されたカードリーダにおいて、
前記警戒モードが解除された場合、前記給電停止手段によって停止されている前記アンテナへの給電を再開する給電再開手段
を備えることを特徴とするカードリーダ。
【請求項５】
アンテナと、このアンテナへの給電を行う電源供給部とを備え、前記アンテナを介してＩＣカードとの間で非接触通信を行うカードリーダの消費電力抑制方法において、
前記ＩＣカードとの間での非接触通信が終了してからの時間をカード操作無し時間として計測し、このカード操作無し時間が所定時間を超えた場合、前記アンテナへの給電を停止する給電停止ステップ
を備えることを特徴とするカードリーダの消費電力抑制方法。
【請求項６】
請求項５に記載されたカードリーダの消費電力抑制方法において、
ユーザが操作するスイッチ類の操作を感知して、前記給電停止手段によって停止されている前記アンテナへの給電を再開する給電再開ステップ
を備えることを特徴とするカードリーダの消費電力抑制方法。
【請求項７】
アンテナと、このアンテナへの給電を行う電源供給部とを備え、前記アンテナを介してＩＣカードとの間で非接触通信を行うカードリーダの消費電力抑制方法において、
警備切替により、警戒モードに切り替えられた場合、前記アンテナへの給電を停止する給電停止ステップ
を備えることを特徴とするカードリーダの消費電力抑制方法。
【請求項８】
請求項７に記載されたカードリーダの消費電力抑制方法において、
前記警戒モードが解除された場合、前記給電停止手段によって停止されている前記アンテナへの給電を再開する給電再開ステップ
を備えることを特徴とするカードリーダの消費電力抑制方法。
【発明の詳細な説明】
【技術分野】
【０００１】
この発明は、アンテナを介してＩＣカードとの間で非接触通信を行うカードリーダおよびカードリーダの消費電力抑制方法に関するものである。
【背景技術】
【０００２】
従来より、この種のカードリーダとして、アンテナと、このアンテナへの給電を行う電源給電部とを備え、アンテナを介してＩＣカードとの間で非接触通信を行うカードリーダが用いられている。
【０００３】
このカードリーダは、例えば、建物内の各部屋の出入り口に設置され、ＩＣカードがかざされると、そのＩＣカードに記録されている個人識別情報を非接触通信によって読み取って、その部屋への扉の解錠／施錠を行う。
【０００４】
このカードリーダにおいて、アンテナには、昼間の入退室が頻繁な時でも、夜間の入退室が乏しい時でも、２４時間連続して電源供給部からの給電が行われている。すなわち、カードリーダは、２４時間電源が入った状態で、通信待機状態を保持し、一定量の電気を消費し続けている。特に、カードリーダが消費している電力のうち、大部分はアンテナでの消費電力である。
【０００５】
そこで、カードリーダでの消費電力を抑制するために、昼間の時間帯と夜間の時間帯とを定め、夜間の時間帯では動作モードを通常モードから省電力モードに切り替え、アンテナへの給電を定期的に停止させるようにしたり、人感センサと連動し、人がいないときには省電力モードに設定し、人がいるときには省電力モードを解除するようにしたりするような方式が考えられている（例えば、特許文献１参照）。
【先行技術文献】
【特許文献】
【０００６】
【特許文献１】特開２０１１−１７０７１０号公報
【発明の概要】
【発明が解決しようとする課題】
【０００７】
しかしながら、昼間の時間帯と夜間の時間帯とを定め、夜間の時間帯に動作モードを通常モードから省電力モードに切り替える方式（方式１）では、通常モードとされる昼間の時間帯は常にアンテナへの給電が行われる。このため、昼間の時間帯にカードリーダが使用されない状態（ＩＣカードがかざされない状態）が長時間続いたような場合でも、アンテナへの給電が続けられ、電力が消費されていた。
【０００８】
また、人感センサと連動し、人がいないときには省電力モードに設定し、人がいるときには省電力モードを解除する方式（方式２）では、人感センサの誤検知により電力が消費されてしまうことがあった。例えば、人が近くを通っただけでも、省電力モードが解除され、アンテナへの給電が行われ、電力が消費されてしまう。
【０００９】
また、従来の方式（方式１，２）では、省電力モード時にアンテナへの給電を定期的に停止させるようにしている。このため、省電力モードであっても、アンテナへの給電は間欠的に続けられ、電力が消費されていた。
【００１０】
本発明は、このような課題を解決するためになされたもので、その目的とするところは、消費電力を大幅に抑制することが可能なカードリーダおよびカードリーダの消費電力抑制方法を提供することにある。
【課題を解決するための手段】
【００１１】
このような目的を達成するために本発明は、アンテナと、このアンテナへの給電を行う電源供給部とを備え、アンテナを介してＩＣカードとの間で非接触通信を行うカードリーダにおいて、ＩＣカードとの間での非接触通信が終了してからの時間をカード操作無し時間として計測し、このカード操作無し時間が所定時間を超えた場合、アンテナへの給電を停止する給電停止手段を備えることを特徴とする。
【００１２】
この発明によれば、カード操作無し時間が所定時間を超えると、すなわちカードリーダが使用されない状態（ＩＣカードがかざされない状態）が長く続くと、アンテナへの給電が自動的に停止される。この発明において、アンテナへの給電の再開は、例えば、ユーザが操作するスイッチ類の操作を感知して行うようにする。
【００１３】
このようにすると、昼間の時間帯や夜間の時間帯に拘わらず、カード操作無し時間が所定時間を超えると、アンテナへの給電が停止され、ユーザがスイッチ類を操作するまでの間、アンテナへの給電は停止され続ける。また、アンテナへの給電が停止されてから、ユーザがスイッチ類を操作するまでの間、人感センサと連動させる場合のような誤検知が生じることもない。また、夜間の時間帯でも、ユーザがスイッチ類を操作すれば、アンテナへの給電が再開され、カードリーダを使用することが可能となる。
【００１４】
また、本発明は、アンテナと、このアンテナへの給電を行う電源供給部とを備え、アンテナを介してＩＣカードとの間で非接触通信を行うカードリーダにおいて、警備切替により、警戒モードに切り替えられた場合、アンテナへの給電を停止する給電停止手段を備えることを特徴とする。
【００１５】
この発明によれば、警戒モードに切り替えられると、アンテナへの給電が自動的に停止される。この発明において、アンテナへの給電の再開は、例えば、警戒モードが解除された場合に行うようにする。
【００１６】
このようにすると、警戒モードに切り替えられてから、警戒モードが解除されるまでの間、アンテナへの給電が停止され続ける。また、警戒モードに切り替えられてから、警戒モードが解除されるまでの間、人感センサと連動させる場合のような誤検知も生じない。
【００１７】
なお、警戒モードの切り替えは、上位装置又はシステムから警戒モードに切り替えた旨の信号として送られてくる場合もあるし、自己のカードリーダにおいて警戒モードへの切り替えが行われる場合もある。警戒モードの解除も同様である。
【発明の効果】
【００１８】
本発明によれば、カード操作無し時間が所定時間を超えたり、警戒モードに切り替えられた場合に、アンテナへの給電を停止するようにしたので、アンテナで消費される電力をできるだけ少なくするようにして、消費電力を大幅に抑制することが可能となる。
【図面の簡単な説明】
【００１９】
【図１】本発明に係るカードリーダの一実施の形態を含む入退室監視システムの要部を示す図である。
【図２】この入退室監視システムにおけるカードリーダの要部のブロック図である。
【図３】このカードリーダにおける消費電力抑制プログラムに従うＣＰＵの処理動作の第１例（実施の形態１）を示すフローチャートである。
【図４】実施の形態１におけるＣＰＵの機能ブロック図である。
【図５】このカードリーダにおける消費電力抑制プログラムに従うＣＰＵの処理動作の第２例（実施の形態２）を示すフローチャートである。
【図６】実施の形態２におけるＣＰＵの機能ブロック図である。
【図７】このカードリーダにおける消費電力抑制プログラムに従うＣＰＵの処理動作の第３例（実施の形態３）を示すフローチャートである。
【図８】実施の形態３におけるＣＰＵの機能ブロック図である。
【発明を実施するための形態】
【００２０】
以下、本発明を図面に基づいて詳細に説明する。図１は本発明に係るカードリーダの一実施の形態を含む入退室監視システムの要部を示す図である。
【００２１】
図１において、１００はカードリーダ、２００は上位装置、３００は建物である。なお、上位装置２００は上位システムである場合もある。
【００２２】
カードリーダ１００は、建物３００内の各部屋の出入り口に設置されており、上位装置２００と通信回線Ｌを介して相互に接続されている。この実施の形態において、カードリーダ１００は多数存在するが、説明を簡単とするためにその１つだけを抜き出して示している。
【００２３】
カードリーダ１００は、テンキーやファンクションキーなどのスイッチ類で構成される操作部１と、ＬＥＤ（Light Emitting Diode）などのランプ類で構成されるランプ表示部２と、ＬＣＤ（Liquid Crystal Display）などのディスプレイ部３とを備えている。
【００２４】
図２にカードリーダ１００の要部のブロック図を示す。カードリーダ１００は、ＣＰＵ（Central Processing Unit）４を備えており、操作部１，ランプ表示部２，ディスプレイ部３はＣＰＵ４と相互に接続されている。また、カードリーダ１００には、リーダ／ライタアンテナ５、電源供給部６、通信制御部７なども備えており、これらもＣＰＵ４との接続が図られている。
【００２５】
操作部１において、テンキーやファンクションキーは、暗証入力や各種設定に使用される。ランプ表示部２は、ランプの点灯／点滅により、通電中であることを知らせたり、解錠中であることを知らせたり、警戒中であることを知らせたりする。ディスプレイ部３には、操作ガイドなどの各種情報が表示される。
【００２６】
リーダ／ライタアンテナ５は、かざされるＩＣカード４００との間で、電磁波による非接触通信を行う。電源供給部６は、リーダ／ライタアンテナ５への給電を行う。通信制御部７は、上位装置２００とＣＰＵ４との間の通信を制御する。
【００２７】
なお、図示してはいないが、カードリーダ１００にはＲＡＭ（Random Access Memory）やＲＯＭ（Read Only Memory）が設けられており、ＣＰＵ４は、ＲＡＭにアクセスしながら、ＲＯＭに格納されているプログラムに従って動作する。ＲＯＭには、本実施の形態特有のプログラムとして、消費電力抑制プログラムが格納されている。
【００２８】
以下、この消費電力抑制プログラムに従うＣＰＵ４の処理動作について、その処理動作の第１例を実施の形態１として、第２例を実施の形態２として、第３例を実施の形態３として説明する。
【００２９】
〔実施の形態１（第１例）〕
図３に消費電力抑制プログラムに従うＣＰＵ４の処理動作の第１例のフローチャートを示す。ＣＰＵ４は、ＩＣカード４００との間での非接触通信が終了してからの時間をカード操作無し時間として計測し（ステップＳ１０１）、このカード操作無し時間が所定時間を超えた場合（ステップＳ１０２のＹＥＳ）、電源供給部６からのリーダ／ライタアンテナ５への給電を停止させる（ステップＳ１０３）。
【００３０】
なお、ステップＳ１０１でのカード操作無し時間の計測は、ＩＣカード４００との間での非接触通信が終了する毎に行い、ステップＳ１０２での所定時間が経過する前に次のＩＣカード４００との間での非接触通信が開始された場合には、それまでに計測されたカード操作無し時間をリセットする。
【００３１】
電源供給部６からのリーダライタアンテナ５への給電が停止されると、ＩＣカード４００との間の非接触通信はできなくなるが、ＣＰＵ４は、操作部１のスイッチ類が操作されたことを感知すると（ステップＳ１０４のＹＥＳ）、リーダ／ライタアンテナ５への電源供給部６からの給電を再開させ（ステップＳ１０５）、ＩＣカード４００との間の非接触通信を可能とする。
【００３２】
この実施の形態１によれば、カード操作無し時間が所定時間を超えると、すなわちカードリーダ１００が使用されない状態（ＩＣカード４００がかざされない状態）が長く続くと、リーダ／ライタアンテナ５への給電が自動的に停止される。そして、このリーダ／ライタアンテナ５への給電の停止後、ユーザが操作するスイッチ類の操作が感知された場合に、リーダ／ライタアンテナ５への給電が再開される。
【００３３】
これにより、昼間の時間帯や夜間の時間帯に拘わらず、カード操作無し時間が所定時間を超えると、リーダ／ライタアンテナ５への給電が停止され、ユーザがスイッチ類を操作するまでの間、リーダ／ライタアンテナ５への給電が停止され続けるものとなり、リーダ／ライタアンテナ５での電力の消費が抑制される。また、リーダ／ライタアンテナ５への給電が停止されてから、ユーザがスイッチ類を操作するまでの間、人感センサと連動させる場合のような誤検知が生じることもない。また、夜間の時間帯でも、ユーザがスイッチ類を操作すれば、リーダ／ライタアンテナ５への給電が再開され、カードリーダ１００を使用することができる。
【００３４】
図４にこの実施の形態１におけるＣＰＵ４の機能ブロック図を示す。この実施の形態１において、ＣＰＵ４は、ＩＣカード４００との間での非接触通信が終了してからの時間をカード操作無し時間として計測し、このカード操作無し時間が所定時間を超えた場合、リーダ／ライタアンテナ５への給電を停止する給電停止部４１Ａと、ユーザが操作するスイッチ類の操作を感知して、給電停止部４１Ａによって停止されているリーダ／ライタアンテナ５への給電を再開する給電再開部４２Ａとを備えている。
【００３５】
〔実施の形態２（第２例）〕
図５に消費電力抑制プログラムに従うＣＰＵ４の処理動作の第２例のフローチャートを示す。この実施の形態２において、上位装置２００は、カードリーダ１００へ、警備切替により、警戒モードへ切り替えた旨の信号（警戒モード切替信号）および警戒モードを解除した旨の信号（警戒モード解除信号）を送る機能を有しているものとする。
【００３６】
ＣＰＵ４は、上位装置２００から警戒モード切替信号を受信すると（ステップＳ２０１のＹＥＳ）、電源供給部６からのリーダ／ライタアンテナ５への給電を停止させる（ステップＳ２０２）。
【００３７】
入退室で使用されるカードリーダ１００は、日中は使用頻度が高く、夜間は使用頻度が低い。特に、夜間、建物や部屋の扉が施錠になる警備監視状態では、カードリーダ１００の使用頻度はさらに低下する。実施の形態２では、この使用頻度がさらに低下する警備監視状態に着目し、部屋や建物内部の侵入者監視を主目的とする警備監視状態になった場合には、カードリーダ１００のリード／ライト機能は不必要と判断し、電源供給部６からのリーダ／ライタアンテナ５への給電を停止させる。
【００３８】
電源供給部６からのリーダライタアンテナ５への給電が停止されると、ＩＣカード４００との間の非接触通信はできなくなるが、ＣＰＵ４は、上位装置２００から警戒モード解除信号を受信すると（ステップＳ２０３のＹＥＳ）、電源供給部６からのリーダ／ライタアンテナ５への給電を再開させ（ステップＳ２０４）、ＩＣカード４００との間の非接触通信を可能とする。
【００３９】
この実施の形態２によれば、上位装置２００からの警戒モード切替信号を受信すると、リーダ／ライタアンテナ５への給電が自動的に停止される。そして、このリーダ／ライタアンテナ５への給電の停止後、上位装置２００から警戒モード解除信号を受信すると、リーダ／ライタアンテナ５への給電が再開される。
【００４０】
これにより、警戒モードに切り替えられてから、警戒モードが解除されるまでの間、リーダ／ライタアンテナ５への給電が停止され続け、リーダ／ライタアンテナ５での電力の消費が抑制される。また、警戒モードに切り替えられてから、警戒モードが解除されるまでの間、人感センサと連動させる場合のような誤検知も生じない。
【００４１】
図６にこの実施の形態２におけるＣＰＵ４の機能ブロック図を示す。この実施の形態２において、ＣＰＵ４は、上位装置２００からの警戒モード切替信号を受けて、リーダ／ライタアンテナ５への給電を停止する給電停止部４１Ｂと、上位装置２００からの警戒モード解除信号を受けて、給電停止部４１Ｂによって停止されているリーダ／ライタアンテナ５への給電を再開する給電再開部４２Ｂとを備えている。
【００４２】
〔実施の形態３（方式３）〕
図７に消費電力抑制プログラムに従うＣＰＵ４の処理動作の第２例のフローチャートを示す。この実施の形態３において、カードリーダ１００は、警備切替機能を有し、操作部１に警戒ボタンＢＴ１と警戒解除ボタンＢＴ２とを備えているものとする。この場合、ＣＰＵ４は、警戒ボタンＢＴ１が押されると、警戒モードに切り替えて、カードリーダ１００が設置されている部屋を警備監視状態とし、警戒解除ボタンＢＴ２が押されると、警戒モードを解除する。
【００４３】
ＣＰＵ４は、警戒ボタンＢＴ１が押されると（ステップＳ３０１のＹＥＳ）、電源供給部６からのリーダ／ライタアンテナ５への給電を停止させる（ステップＳ３０２）。
【００４４】
入退室で使用されるカードリーダ１００は、日中は使用頻度が高く、夜間は使用頻度が低い。特に、夜間、建物や部屋の扉が施錠になる警備監視状態では、カードリーダ１００の使用頻度はさらに低下する。実施の形態３においても、この使用頻度がさらに低下する警備監視状態に着目し、部屋や建物内部の侵入者監視を主目的とする警備監視状態になった場合には、カードリーダ１００のリード／ライト機能は不必要と判断し、電源供給部６からのリーダ／ライタアンテナ５への給電を停止させる。
【００４５】
電源供給部６からのリーダライタアンテナ５への給電が停止されると、ＩＣカード４００との間の非接触通信はできなくなるが、ＣＰＵ４は、警戒解除ボタンＢＴ２が押されると（ステップＳ３０３のＹＥＳ）、電源供給部６からのリーダ／ライタアンテナ５への給電を再開させ（ステップＳ３０４）、ＩＣカード４００との間の非接触通信を可能とする。
【００４６】
この実施の形態３によれば、警戒ボタンＢＴ１が押されると、リーダ／ライタアンテナ５への給電が自動的に停止される。そして、このリーダ／ライタアンテナ５への給電の停止後、警戒解除ボタンＢＴ２が押された場合に、リーダ／ライタアンテナ５への給電が再開される。
【００４７】
これにより、警戒モードに切り替えられてから、警戒モードが解除されるまでの間、リーダ／ライタアンテナ５への給電が停止され続け、リーダ／ライタアンテナ５での電力の消費が抑制される。また、警戒モードに切り替えられてから、警戒モードが解除されるまでの間、人感センサと連動させる場合のような誤検知も生じない。
【００４８】
図８にこの実施の形態３におけるＣＰＵ４の機能ブロック図を示す。この実施の形態３において、ＣＰＵ４は、警戒ボタンＢＴ１が押されると（自己のカードリーダにおいて警戒モードに切り替えられると）、リーダ／ライタアンテナ５への給電を停止する給電停止部４１Ｃと、警戒解除ボタンＢＴ２が押されると（自己のカードリーダにおいて警戒モードが解除されると）、給電停止部４１Ｃによって停止されているリーダ／ライタアンテナ５への給電を再開する給電再開部４２Ｃとを備えている。
【００４９】
〔実施の形態の拡張〕
以上、実施の形態を参照して本発明を説明したが、本発明は上記の実施の形態に限定されるものではない。本発明の構成や詳細には、本発明の技術思想の範囲内で当業者が理解し得る様々な変更をすることができる。
【符号の説明】
【００５０】
１…操作部、２…ランプ表示部、３…ディスプレイ部、４…ＣＰＵ、５…リーダ／ライタアンテナ、６…電源供給部、７…通信制御部、４１Ａ，４１Ｂ，４１Ｃ…給電停止部、４２Ａ，４２Ｂ，４２Ｃ…給電再開部、１００…カードリーダ、２００…上位装置、３００…建物、４００…ＩＣカード。
【図１】
2015022392.tif 000003
【図２】
2015022392.tif 000004
【図３】
2015022392.tif 000005
【図４】
2015022392.tif 000006
【図５】
2015022392.tif 000007
【図６】
2015022392.tif 000008
【図７】
2015022392.tif 000009
【図８】
2015022392.tif 000010